(57)【要約】【課題】確実なドレン水処理とリヤ空調ユニットを薄くして小型化することとを両立させたオーバーヘッド型車両用空調ユニットの提供を目的とする。【解決手段】空調ケーシング３１内にエバポレータ７とクロスフローファン８Ａとが組み込まれ、車室内の天井部に設置して使用するオーバーヘッド型車両用空調ユニットであって、空調ユニットの熱交換器設置面に形成された熱交換器ドレン水を排水口に導く第１排水流路５７に、流路巾を狭める仕切リブ６１を設けた。【選択図】図２
2008110762.tif 000002
【特許請求の範囲】
【請求項１】
空調ケーシング内に冷房用の熱交換器と送風機とが組み込まれ、車室内の天井部に設置して使用するオーバーヘッド型車両用空調ユニットであって、
前記空調ユニットの熱交換器設置面に形成された熱交換器ドレン水を排水口に導く排水流路に、流路巾を狭める仕切リブを設けたことを特徴とするオーバーヘッド型車両用空調ユニット。
【請求項２】
空調ケーシング内に冷房用の熱交換器と送風機とが組み込まれ、車室内の天井部に設置して使用するオーバーヘッド型車両用空調ユニットであって、
前記空調ケーシングの熱交換器設置面に、前記空調ケーシングの前端壁により形成された第１のリブと、前記熱交換器の前後でそれぞれが車幅方向に延びる第２及び第３のリブと、前記熱交換器設置面と後方の送風機設置面との間を仕切る第４のリブとを設けて、前記第１のリブと前記第２のリブとの間の第１の排水流路、前記第２のリブと前記熱交換器前面との間の第２の排水流路、前記熱交換器後面と前記第３のリブとの間の第３の排水流路、及び前記第３のリブと前記第４のリブとの間の第４の排水流路を形成して熱交換器ドレン水を両サイドの排水口に導くと共に、前記第１の排水流路に流路巾を狭める仕切リブを設けたことを特徴とするオーバーヘッド型車両用空調ユニット。
【請求項３】
前記熱交換器がインシュレーション部材を介して前記空調ケーシングの熱交換器設置面上に設置され、前記インシュレーション部材端面と前記第２のリブ及び前記第３のリブとの間に隙間を設けて前記第２の排水流路及び前記第３の排水流路を形成したことを特徴とする請求項２に記載のオーバーヘッド型車両用空調ユニット。
【請求項４】
前記第２のリブが、両サイドで前記第１のリブに接近し中央部で離間するよう湾曲して設けられ、前記仕切リブを前記第１の排水流路の中央部に配設したことを特徴とする請求項２または３に記載のオーバーヘッド型車両用空調ユニット。
【発明の詳細な説明】
【技術分野】
【０００１】
本発明は、オーバーヘッド型車両用空調ユニットに係り、特に、空調ユニット全体の形状を薄くして車載性を向上させる技術に関する。
【背景技術】
【０００２】
従来、いわゆるワンボックスカーやリムジンと呼ばれるような自動車においては、運転席及び助手席前方に設置される空気調和ユニットに加えて、第２列目や第３列目などの後部座席用として専用の空調ユニットを設けることがある。このような後席用空調ユニットには、図１４及び図１５に示すように、車室内の天井に設置されるものが多く、一般的にはオーバーヘッド型車両用空調ユニットと呼ばれている。
【０００３】
以下、従来のオーバーヘッド型車両用空調ユニットを図１４ないし図２２に基づいて簡単に説明する。
図１４及び図１５は、セダン型乗用車に設置されたオーバーヘッド型車両用空調ユニット（以下、リヤ空調ユニットと呼ぶ）の例を示しており、図中の符号１がリヤ空調ユニットである。この場合、コンプレッサで圧縮された高温高圧の冷媒は、コンデンサによって冷却され、リヤ空調ユニット１及び図示省略のフロント空調ユニットに供給される。
【０００４】
図１５は、車室天井に設置されたリヤ空調ユニット１を車室後方側から見たものである。リヤ空調ユニット１は、ブラケット２を用いて両側端部が車体構成部材３に固定されている。実際には、ブラケット２などの取付部材が車室内に露出しないようにするため、適当なカバー部材（図示省略）で覆うなどの処置が施されている。
また、このリヤ空調ユニット１は、図１６及び図１７に示すように、車室内への突出量を極力小さくするため、ルーフパネル４の車室側に設けられる車幅方向の補強部材５，５の間に納めるなどの工夫がなされている。これは、限られた条件の下で乗員の頭上空間をできるだけ広く確保して、快適な車室内空間を提供することを主な目的としたものである。
【０００５】
続いて、図１８ないし図２２に基づいて従来のリヤ空調ユニット１の構成を簡単に説明する。
このリヤ空調ユニット１は、ケーシング６内に、冷房用の熱交換器であるエバポレータ７と、車室内の空気（内気）を吸引してエバポレータ７を通し、熱交換した空調空気を車室内へ吹き出す送風機８とを備えている。なお、図中の符号９は吸込口、１０は吹出口である。
このような空調ユニット１においては、ケーシング６が上下（６ａ，６ｂ）に２分割され、送風機８としては、図１９に示すようにクロスフローファン８Ａのユニット組み込んだものと、図２０に示すようにシロッコファン８Ｂのユニットを組み込んだものとがある。
【０００６】
また、上述したリヤ空調ユニット１は車室内の天井に設置するものであり、しかも、ドレン水を排出するエバポレータ７を内蔵したものであるため、このドレン水の排水処理が重要になる。
図２１及び図２２は従来のドレン水処理を説明するための図で、図２１（ａ）は下部ケーシング６ｂの熱交換器設置面を示す平面図、図２１（ｂ）は下部ケーシング６ｂの正面図である。この場合、基本的にはドレン水を両サイドに設けた排水口１１に導き、同排水口１１に接続されるドレンホース（図示省略）を通して車外へと排水する。従って、下部ケーシング６ｂは、図２１（ｂ）に示すように、中央部が最も高くかつ両サイドが最も低くなるように凸状に湾曲した形状となっている。なお、下部ケーシング６ｂは、ドレンパンとして機能する車両前方側の熱交換器設置面と、車両後方側の送風機設置面とが一体の構成となっている。
【０００７】
さらに、上述したリヤ空調ユニット１は、車両の走行中にも使用されてドレン水が排出されるため、走行中に生じるあらゆる状況を考慮して排水処理をする必要がある。具体的には、坂道を登ったり下ったりする場合や加速及び減速によって生じるドレン水の前後方向の移動、あるいは、旋回時におけるドレン水の左右方向の移動があっても車室内にドレン水が漏れ出さないようにする必要がある。従って、従来のリヤ空調ユニット１においては、図２１（ａ）及び図２２に示すように、下部ケーシング６ｂに車幅方向に延びるリブ１２，１３，１４、１５及び車両前後方向のリブ１６，１７を設けて、４本の排水流路１８，１９，２０，２１を形成することで対処している。
なお、図中の符号２２は、断熱及びエバポレータ７の保護を目的として、下部ケース６ａとエバポレータ７との間に設置するインシュレーション部材である。
なおまた、最前端に位置するリブ１２はケーシング６の前面の一部を構成し、同リブ１２の上方には吸込口９が開口している。
【発明の開示】
【発明が解決しようとする課題】
【０００８】
ところで、上述したリヤ空調ユニット１は、車室内の天井に設置されるものであるため、乗員の頭上にできるだけ大きな空間を確保できるように、極力薄い形状として小型化することが求められる。ワンボックスカーに比べて車高が低いセダン型乗用車においては、車室内空間の高さも低いものとなるため、このような要求が特に強い。
しかしながら、従来のリヤ空調ユニット１では、ケーシング６内に組み込む送風機８自体が専用のケーシング８ａ（図１８参照）を備えたものであるため、その分のスペースが必要となって小型化を阻む要因になっていた。
【０００９】
また、ドレン水処理の観点から見ると、急激な減速などの慣性により前方へ移動するドレン水の飛び出しを防止するためには、最前端に位置してケーシング６の一部を構成しているリブ１２をできるだけ高くすることが望まれる。
しかし、上述したように設置位置の問題からリヤ空調ユニット１の厚さが制限されるため、リブ１２を高くするとその分吸込口９の開口面積が影響を受けて減少するので、通気抵抗が大きくなるという問題が生じてくる。このような通気抵抗の増大は、リヤ空調ユニット１の運転騒音を増加させ、さらに、送風機８の動力消費をも増すことになる。
【００１０】
そこで本発明は、上記の事情に鑑みてなされたもので、確実なドレン水処理とリヤ空調ユニットを薄くして小型化することとを両立させたオーバーヘッド型車両用空調ユニットの提供を目的とするものである。
【課題を解決するための手段】
【００１１】
本発明は、上記課題を解決するため以下の手段を採用した。
請求項１に係るオーバーヘッド型車両用空調ユニットは、空調ケーシング内に冷房用の熱交換器と送風機とが組み込まれ、車室内の天井部に設置して使用するオーバーヘッド型車両用空調ユニットであって、前記空調ユニットの熱交換器設置面に形成された熱交換器ドレン水を排水口に導く排水流路に、流路巾を狭める仕切リブを設けたことを特徴とするものである。
【００１２】
このようなオーバーヘッド型車両用空調ユニットによれば、排水流路内に溜まった熱交換器ドレン水が加減速などの慣性力で前後方向に移動する距離を短くできるため、排水流路を飛び越えて流出しにくくなる。
【００１３】
請求項２に記載のオーバーヘッド型車両用空調ユニットは、空調ケーシング内に冷房用の熱交換器と送風機とが組み込まれ、車室内の天井部に設置して使用するオーバーヘッド型車両用空調ユニットであって、前記空調ケーシングの熱交換器設置面に、前記空調ケーシングの前端壁により形成された第１のリブと、前記熱交換器の前後でそれぞれが車幅方向に延びる第２及び第３のリブと、前記熱交換器設置面と後方の送風機設置面との間を仕切る第４のリブとを設けて、前記第１のリブと前記第２のリブとの間の第１の排水流路、前記第２のリブと前記熱交換器前面との間の第２の排水流路、前記熱交換器後面と前記第３のリブとの間の第３の排水流路、及び前記第３のリブと前記第４のリブとの間の第４の排水流路を形成して熱交換器ドレン水を両サイドの排水口に導くと共に、前記第１の排水流路に流路巾を狭める仕切リブを設けたことを特徴とするものである。この場合、前記熱交換器がインシュレーション部材を介して前記空調ケーシングの熱交換器設置面上に設置され、前記インシュレーション部材端面と前記壁前記第２のリブ及び前記第３のリブとの間に隙間を設けて前記第２の排水流路及び前記第３の排水流路を形成するのが好ましく、好適には、前記第２のリブが、両サイドで前記第１のリブに接近し中央部で離間するよう湾曲して設けられ、前記仕切リブを前記第１流路の中央部に配設するとよい。
【００１４】
このようなオーバーヘッド型車両用空調ユニットによれば、最前端に位置する第１の排水流路に仕切板を設けたので、第１排水流路内に溜まった熱交換器ドレン水が加減速などの慣性力で前後方向に移動する距離を短くできる。このため、熱交換器ドレン水が第１排水流路を飛び越えて空調ユニット外へ流出するのを防止できる。
【発明の効果】
【００１５】
本発明のオーバーヘッド型車両用空調装置によれば、以下の効果を奏する。
（１） 排水流路に仕切リブを設けて流路巾を狭めたので、慣性力により移動するドレン水が加速されてリブを飛び越すように流出するのを防止できる。これを吸込口に近い第１排水流路に適用すれば、下部ケーシングを薄くしてリヤ空調ユニットの小型化が可能となり、また、吸込口を大きくして運転騒音や消費動力を低減させることもできる。
（２） リヤ空調ユニットが薄くなって小型化されたので、車室内の高さを大きくとれないセダン型乗用車に設置しても良好な車室内空間を提供できる。
【発明を実施するための最良の形態】
【００１６】
以下、本発明に係るオーバーヘッド型車両用空調ユニットの一実施形態を図面に基づいて説明する。
図１及び図２において、符号の７はエバポレータ（熱交換器）、８Ａはクロスフローファン（送風機）、３０はオーバーヘッド型空調ユニット（以下、リヤ空調ユニットと呼ぶ）、３１は空調ケーシング、３２は吸込口、３３は吹出口、３４は排水口、４０は上下に２分割された空調ケーシング３１の上部ケーシング、５０は下部ケーシングである。
このリヤ空調ユニット３０は、空調ケーシング３１内にエバポレータ７及びクロスフローファン８Ａが組み込まれており、クロスフローファン８Ａの作動によって車両前方の吸込口３２から内気を吸引し、エバポレータ７を通過して後述する冷媒系から供給される冷媒と熱交換した後、車両後方の吹出口３３から空調空気を車室内に吹き出す冷房機能を有している。
ここで、車両前方とは車両前進方向における車体の前部のことをいい、車両後方とは車体の後部のことをいう。
【００１７】
図３ないし図６は、下部ケーシング５０の構成例を示したものである。
図３の平面図において、下部ケーシング５０は、車体前方側の熱交換器設置面５１と、車体後方側の送風機設置面５２とにより構成される。
一方の熱交換器設置面５１は、インシュレーション部材６４を介してエバポレータ７を設置する領域であり、エバポレータ７より排出されるドレン水の排水処理をするドレンパンとしての機能を有している。この場合においても、両サイドに設けられた排水口３４から排水するため、図４に示す正面図（車両後方から見た図）のように、熱交換器設置面５１は車幅方向における中央部が最も高くなるように凸状に湾曲している。
【００１８】
また、この熱交換器設置面５１には、下部ケーシング５０の前端壁を第１のリブ（以下、第１リブ）５３として、車体後方側へ順に、第２のリブ（以下、第２リブ）５４，第３のリブ（以下、第３リブ）５５及び第４のリブ（以下、第４リブ）５６が設けられている。これらのリブ５３，５４，５５，５６は、いずれも車幅方向に延びるものである。このうち、第２リブ５４は、両サイドで第１リブ５３に接近し中央部で離間するよう湾曲して設けられ、第２リブ５４と第３リブ５５との間にエバポレータ７が設置される。これら第２リブ５４及び第３リブ５５はいずれも両サイド付近まで設けられている。また、第４リブ５６は、その両端が両サイドに接続されて熱交換器設置面５１と送風機設置面５２との間を仕切る機能を有している。
そして、図中の符号６２，６３は、熱交換器設置面５１の両サイドに流れてきたドレン水を前後に配設された各排水口３４へ導く車両前後方向の導水リブであり、ドレン水をスムーズに導くことができるようにしてある。なお、上述した第２リブ５４及び第３リブ５５の両端は、いずれも第１リブ５３，第４リブ５６及び導水リブ６２，６３との接続はなく、排水口３４へ通じる流路となる開口部が形成されている。
【００１９】
そして、これらのリブ及びエバポレータ７により、図２及び図１１に示すように、第１リブ５３と第２リブ５４との間には第１の排水流路（以下、第１排水流路）５７が、第２リブ５４とエバポレータ７前面との間には第２の排水流路（以下、第２排水流路）５８が、エバポレータ７後面と第３リブ５５との間には第３の排水流路（以下、第３排水流路）５９が、そして第３リブ５５と第４リブ５６との間には第４の排水流路（以下、第４排水流路）６０が形成される。これらの各排水流路は、エバポレータ７より排出されるドレン水を両サイドの排水口３４に導く機能を有している。また、第１排水流路５７には、その流路巾を狭める目的で仕切リブ６１が設けられている。この仕切リブ６１は流路巾が広い中央部に設けられており、この結果、第１排水流路５７の中央部は、車両前方側の前流路５７ａと後方側の後流路５７ｂとに分けられる。
【００２０】
送風機設置面５２は、クロスフローファン８Ａを設置する領域であり、本実施形態では、左右一対のクロスフローファンにそれぞれ駆動モータを取り付けたものが設置される。この送風機設置面５２には、図５に示す側面図及び図６に示す断面図のように、クロスフローファン８Ａの下部ケーシングが一体成形されており、符号６５で示す部分がスタビライザである。
【００２１】
図７ないし図１０は、上部ケーシング４０を示したものである。この上部ケーシング４０は、上述した下部ケーシング５０と組み合わせることで空調ケーシング３１を形成する。
この上部ケーシング４０も、上述した下部ケーシング５０と同様に、熱交換器設置領域４１と、送風機設置領域４２とにより構成される。一方の熱交換器設置領域４１は、下部ケーシング５０の熱交換器設置面５１上に設置されたエバポレータ７を上から抑え込んで支持する機能を有している。また、送風機設置領域４２には、下部ケーシング５０の送風機設置面５２に設けられたスタビライザ６５と共に、クロスフローファン８Ａのケーシングを形成するファンケーシング部４３が一体に成形されている。
【００２２】
通常エバポレータ７は、断熱及びエバポレータ保護を目的として、熱交換器設置面５１に敷いたインシュレーション部材６４の上に設置される。このインシュレーション部材６４は、第２リブ５４から第３リブ５５まで全面にわたって敷きつめてもよいが、本発明の実施形態では、このインシュレーション部材６４は、前後の第２リブ５４及び第３リブ５５との間に隙間を形成するようにして設けられている。この結果、インシュレーション部材６４の前端面と第２リブ５４との間、及びインシュレーション部材６４の後端面と第３リブ５５との間には、インシュレーション部材６４の厚さ分だけ深い第２排水流路５８及び第３排水流路５９が形成される。これは、同様の排水性能を得るのであればインシュレーション部材６４の厚さ分だけリブを低くできることを意味しており、空調ケーシング３１を薄くできる要因になる。
【００２３】
次に、冷媒系８０の構成を図１２に基づいて説明する。この冷媒系８０は、エバポレータ７に低温低圧の液冷媒を供給するもので、コンプレッサ８１、コンデンサ８２及び膨張弁８３を具備している。
コンプレッサ８１は、エバポレータ７で車室内の熱を奪って気化した低温低圧のガス冷媒を圧縮し、高温高圧のガス冷媒としてコンデンサ８２へ送り出すものである。自動車用空気調和装置の場合、コンプレッサ８１は、通常エンジンよりベルト及びクラッチを介して駆動力を受ける。
コンデンサ８２は、通常エンジンルームの前部に配設され、コンプレッサ８１から供給された高温高圧のガス冷媒を外気で冷却し、ガス状の冷媒を凝縮液化させるものである。リヤ空調ユニット３０の場合、フロント空調ユニットとは別に専用のコンデンサを備えることもある。
こうして液化された冷媒は、図示省略のレシーバへ送られて気液の分離がなされた後、高温高圧の液冷媒として膨張弁８３に送られる。この膨張弁８３では、高温高圧の液冷媒を減圧及び膨張させることによって低温低圧の液（霧状）冷媒とし、エバポレータ７へ供給する。
なお、符号の８４は空調装置における温度設定や送風量などの制御を行う制御部である。
【００２４】
図１３は、上述したリヤ空調ユニット３０の車両への取付構造例を示す分解斜視図であって、図中の符号の８５は左右一対設けられた車体固定用のブラケット、８６は排水口３４に接続されてドレン水を車外へ排出するドレンホース、８７は冷媒系８０における冷媒循環用の冷媒配管、８８はドレンホース８６及び冷媒配管８７が車室内に露出しないように覆うカバー、８９はブラケット８５が車室内に露出しないように覆うカバーである。
【００２５】
以下、上述した構成のリヤ空調ユニット３０の作用を説明する。
上述したように、本発明では空調ケーシング３１にクロスフローファン８Ａのケーシングを一体成型してあるが、これによりクロスフローファン８Ａのケーシングが不要となり、部品点数の低減及び型等の準備費低減によるコストの低減に加えて、ユニットの軽量化が可能となる。クロスフローファン８Ａのケーシングが不要になると、リヤ空調ユニット３０の厚みを５〜８ｍｍ程度薄くできる。また、本発明では送風機としてクロスフローファン８Ａを採用しているが、このことはリヤ空調ユニット３０を薄くして小型化するには有利である。なお、クロスフローファン８Ａには、運転時の騒音が低いというメリットもある。
【００２６】
ところで、クロスフローファン８Ａは、その性能を確保する上でケーシング、特にスタビライザ６５やファンケーシング部４３の精度が重要になるが、空調ケーシング３１と一体成形したことで、その調整が容易になる。すなわち、従来のケーシングを備えた送風機ユニットを組み込む構成では、送風機ユニット自体の組立時に調整した後、さらにリヤ空調ユニット３０に組み込む時にも調整が必要であり、組立作業はが面倒なものであったが、本発明の構造では調整が１回ですむようになり、その分簡素化されて全体としての組立工数を低減できる。
【００２７】
続いて、エバポレータ７より排出されるドレン水の排水について説明する。このドレン水は、エバポレータ７から落下した後、両サイドが低く設定されている排水流路５７，５８，５９，６０を通って左右の排水口３４へ流れて行く。しかし、走行中の車両においては、急ブレーキや急発進などにより排水流路内に溜まっているドレン水が前後方向の移動を強いられたり、あるいは、急旋回により左右方向の移動を強いられることがある。
【００２８】
このうち、ドレン水が前後方向の移動を強いられた場合、流路を形成しているリブを飛び越えて流出する恐れがある。このような現象は、同様の条件であれば流路巾（前後方向の巾）が大きいほどドレン水の移動速度が加速されて飛び越えやすくなる。特に、吸込口３２に近い第１排水流路５７でこのような現象が生じると、吹出口３２から車室内へ流出するという重大な問題が生じる。そこで、この第１排水流路５７に仕切リブ６１を設け、流路巾を狭めてある。この実施形態では、スムーズな排水を行うため第２リブ５４が湾曲しており、これにより第１排水流路５７の中央部で流路巾が広がって大きくなっているので、この領域に仕切リブ６１を設けてある。
この結果、第１排水流路５７は前流路５７ａと後流路５７ｂとに分割され、前後方向のドレン水の移動は狭い巾の範囲で行われることになる。このため、ドレン水の移動が加速されるのを抑制でき、ドレン水が流出しにくくなるので、その前方に位置している第１リブ５３の高さを低く設定することが可能となる。従って、第１リブ５３を低くした分だけリヤ空調ユニット３０を薄くして小型化することが可能になり、また、第１リブ５３を低くした分だけ吸込口３２を大きくすることにも利用できる。
なお、このような仕切リブ６１は、他の排水流路にも応用可能であり、例えば第４排水流路が広くなる場合に適用して送風機領域５２にドレン水が飛び越えて流入しないようにしたり、あるいは、前後方向だけでなく車幅方向のドレン水移動に対して適用してもよい。
【００２９】
また、第２排水流路５８及び第３排水流路５９については、インシュレーション部材６４と前後の第２リブ５４及び第３リブ５５との間に隙間を形成して、それぞれ排水流路としている。このため、インシュレーション部材６４の厚さに相当する分だけ実質的な排水流路の深さが増すので、インシュレーション部材６４を全面に敷きつめた場合より第２リブ５４及び第３リブ５５の高さを低くすることが可能となる。このことは、ドレンパンとして機能する下部ケーシング５０の厚さを低減するのに利用でき、結果としてリヤ空調ユニット３０を薄くして小型化するのに有効である。
なお、上述したドレン水排水流路の工夫により、リヤ空調ユニット３０の厚さを概ね３０ｍｍ程度低減できると見込まれる。
【００３０】
これまで説明した実施形態では、送風機としてクロスフローファン８Ａを採用していたが、ドレン水の排水処理についてはシロッコファンを採用したリヤ空調ユニットにも適用可能である。また、排水流路の形成には、必ずしもリブを設ける必要はなく、適当な壁面を有効に利用してもよい。
【００３１】
上述したオーバーヘッド型車両用空調ユニットの第１参考例は、空調ケーシング内に冷房用の熱交換器と送風機とが組み込まれ、車室内の天井部に設置して使用するオーバーヘッド型車両用空調ユニットであって、前記空調ケーシング内に前記送風機のケーシングを一体成形したことを特徴とするものである。この場合、前記送風機がクロスフローファンであることが好ましく、また、好適には前記空調ケーシングが上下に２分割され、下部ケーシングに設けられたスタビライザ部と上部ケーシングに設けられたファンケーシング部とにより前記クロスフローファンのケーシングを構成するとよい。
【００３２】
このようなオーバーヘッド型車両用空調ユニットの第１参考例によれば、送風機のケーシングが空調ケーシングに一体化されたので、空調ユニットの小型化及び部品点数の低減が可能となる。
【００３３】
上述したオーバーヘッド型車両用空調ユニットの第２参考例は、空調ケーシング内に冷房用の熱交換器と送風機とが組み込まれ、車室内の天井部に設置して使用するオーバーヘッド型車両用空調ユニットであって、前記空調ケーシングの熱交換器設置面にインシュレーション部材を介して前記熱交換器を設置し、かつ前記熱交換器の前後で車幅方向に延びる上下方向の壁面を形成して、該壁面と前記インシュレーション部材端面との間に熱交換器ドレン水を両サイドの排水口に導く排水流路を形成したことを特徴とするものである。この場合、前記壁面がリブによって形成されてもよい。
【００３４】
このようなオーバーヘッド型車両用空調ユニットの第２参考例によれば、インシュレーション部材の厚み分だけ排水流路を深くできるので、壁面を低くできる。従って、空調ユニットを薄くするのに貢献できる。
【００３５】
上述した第１参考例及び第２参考例によれば、以下の効果を奏する。
（１） 送風機としてクロスフローファンを採用し、クロスフローファンのケーシングを空調ケーシングと一体に成形する構成としたので、部品点数の低減、型などの準備費低減が可能となってコスト削減に効果を奏する。また、ケーシングの一体化は、リヤ空調ユニットの軽量化、組立の簡素化にも有効である。
（２） 上述したケーシングの一体化により、クロスフローファンのケーシングがなくなった分だけスペースの節約ができるので、リヤ空調ユニットを薄くして小型化することが可能になる。
（３） インシュレーション部材と前後のリブとで排水流路を形成することにより、インシュレーション部材の厚さ分だけ排水流路が深くなるので、リブの高さを低くすることができる。従って、リブが低くなる分だけリヤ空調ユニットを薄くして小型化することが可能になる。
【図面の簡単な説明】
【００３６】
【図１】本発明に係るオーバーヘッド型車両用空調ユニットの一実施形態を示す部分断面斜視図である。
【図２】図１のＡ−Ａ断面図である。
【図３】図１に示したオーバーヘッド型車両用空調ユニットの下部ケーシングを示す平面図である。
【図４】図３の正面図（車両後方から見た図）である。
【図５】図３の左側面図である。
【図６】図３のＢ−Ｂ断面図である。
【図７】図１に示したオーバーヘッド型車両用空調ユニットの上部ケーシングを示す平面図である。
【図８】図７の正面図（車両後方から見た図）である。
【図９】図７の左側面図である。
【図１０】図８のＣ−Ｃ断面図である。
【図１１】本発明における排水流路部分の拡大断面図である。
【図１２】車両用空気調和装置の全体構成を示す系統図である。
【図１３】オーバーヘッド型車両用空調ユニットの取付構造例を示す分解斜視図である。
【図１４】セダン型乗用車に取り付けられたオーバーヘッド型車両用空調ユニットを示す図である。
【図１５】図１４のオーバーヘッド型車両用空調ユニットを車室内後方から見た図である。
【図１６】オーバーヘッド型車両用空調ユニットの取付位置を示す平面図である。
【図１７】図１６のＤ−Ｄ断面図である。
【図１８】従来のオーバーヘッド型車両用空調ユニットを示す断面図である。
【図１９】クロスフローファンを採用した従来のオーバーヘッド型車両用空調ユニットを示す主要構成要素の分解斜視図である。
【図２０】シロッコファンを採用した従来のオーバーヘッド型車両用空調ユニットを示す主要構成要素の分解斜視図である。
【図２１】従来の下部ケーシングを示す図で、（ａ）は熱交換器設置領域の平面図、（ｂ）は正面図である。
【図２２】図２１（ａ）の断面図で、（ａ）はＥ−Ｅ断面図、（ｂ）はＦ−Ｆ断面図、（ｃ）はＧ−Ｇ断面図である。
【符号の説明】
【００３７】
３０     リヤ空調ユニット（オーバーヘッド型車両用空調ユニット）
３１     空調ケーシング
３２     吸込口
３３     吹出口
３４     排水口
４０     上部ケーシング
４１     熱交換器設置領域
４２     送風機設置領域
４３     ファンケーシング部
５０     下部ケーシング
５１     熱交換器設置面
５２     送風機設置面
５３     第１リブ
５４     第２リブ
５５     第３リブ
５６     第４リブ
５７     第１排水流路
５７ａ     前流路
５７ｂ     後流路
５８     第２排水流路
５９     第３排水流路
６０     第４排水流路
６１     仕切リブ
６２，６３     導水リブ
【図１】
2008110762.tif 000003
【図２】
2008110762.tif 000004
【図３】
2008110762.tif 000005
【図４】
2008110762.tif 000006
【図５】
2008110762.tif 000007
【図６】
2008110762.tif 000008
【図７】
2008110762.tif 000009
【図８】
2008110762.tif 000010
【図９】
2008110762.tif 000011
【図１０】
2008110762.tif 000012
【図１１】
2008110762.tif 000013
【図１２】
2008110762.tif 000014
【図１３】
2008110762.tif 000015
【図１４】
2008110762.tif 000016
【図１５】
2008110762.tif 000017
【図１６】
2008110762.tif 000018
【図１７】
2008110762.tif 000019
【図１８】
2008110762.tif 000020
【図１９】
2008110762.tif 000021
【図２０】
2008110762.tif 000022
【図２１】
2008110762.tif 000023
【図２２】
2008110762.tif 000024